(57)【要約】【課題】サブフィールド駆動によって画像を表示する場合に、表示する画像が動画であっても静止画であっても適切に画質を高める。【解決手段】静止画や動画の画像データ（映像信号）からフレーム間の動きの大きさを検出する。フレーム間の動きが大きい場合には、フレーム間の動きが小さい場合と比較して、単位時間当たりのフレーム数を大きく、かつ１フレーム当たりのサブフレーム数を小さくする。また、フレーム間の動きが小さい場合には、フレーム間の動きが大きい場合と比較して、単位時間当たりのフレーム数を小さく、かつ１フレーム当たりのサブフレーム数を大きくする。【選択図】図１
2010197785.tif 000002
【特許請求の範囲】
【請求項１】
複数の画素からなる１画面を表示する単位期間を１フレームとしたとき、１フレームを分割して得られる複数のサブフレームの各々において、前記複数の画素の各々の階調を制御する画像表示装置であって、
表示すべき画像を示す画像データからフレーム間の動きの大きさを検出する動き検出手段と、
前記動き検出手段の検出結果に基づいて単位時間当たりのフレーム数を調整するフレーム数調整手段と、
前記検出結果に基づいて１フレームに含まれるサブフレーム数を調整するサブフレーム数調整手段と、
前記検出結果が大きい場合には、前記検出結果が小さい場合と比較して、前記フレーム数が大きく、かつ前記サブフレーム数が小さくなるように、前記フレーム数調整手段および前記サブフレーム数調整手段を制御し、前記検出結果が小さい場合には、前記検出結果が大きい場合と比較して、前記フレーム数が小さく、かつ前記サブフレーム数が大きくなるように、前記フレーム数調整手段および前記サブフレーム数調整手段を制御する制御手段と、
を備えたことを特徴とする画像表示装置。
【請求項２】
前記画像データは、各フレームに対応するフレーム画像データを有し、
前記フレーム数調整手段は、前記検出結果が大きい場合には、１のフレームとその次のフレームとの間の中間フレームに対応する中間画像データを生成することで、前記検出結果が小さい場合と比較して前記フレーム数を大きくする、
ことを特徴とする請求項１に記載の画像表示装置。
【請求項３】
前記画像データは、各フレームに対応するフレーム画像データを有し、
前記フレーム数調整手段は、前記検出結果が小さい場合には、連続する所定数のフレーム毎に一定の割合で前記フレーム画像データを間引くことで、前記検出結果が大きい場合と比較して前記フレーム数を小さくする、
ことを特徴とする請求項１または２に記載の画像表示装置。
【請求項４】
表示すべき階調と、１フレームに含まれる複数のサブフレームの各々毎のオン状態またはオフ状態との対応関係を示すルックアップテーブルを、１フレームに含まれるサブフレーム数の違いに応じて複数備え、
前記サブフレーム数調整手段は、
前記検出結果が大きい場合には、前記サブフレーム数が小さい前記ルックアップテーブルを選択し、選択した前記ルックアップテーブルを使用して前記複数の画素の各々の階調を制御することで、前記検出結果が小さい場合と比較して前記サブフレーム数を小さくし、
前記検出結果が小さい場合には、前記サブフレーム数が大きい前記ルックアップテーブルを選択し、選択した前記ルックアップテーブルを使用して前記複数の画素の各々の階調を制御することで、前記検出結果が大きい場合と比較して前記サブフレーム数を大きくする、
ことを特徴とする請求項１乃至３のうちいずれか１項に記載の画像表示装置。
【請求項５】
前記動き検出手段は、表示すべき画像を示す画像データからフレーム間の動きの有無を検出し、
前記制御手段は、
前記検出結果が有りの場合には、前記検出結果が無しの場合と比較して、前記フレーム数が大きく、かつ前記サブフレーム数が小さくなるように、前記フレーム数調整手段および前記サブフレーム数調整手段を制御し、
前記検出結果が無しの場合には、前記検出結果が有りの場合と比較して、前記フレーム数が小さく、かつ前記サブフレーム数が大きくなるように、前記フレーム数調整手段および前記サブフレーム数調整手段を制御する、
ことを特徴とする請求項１に記載の画像表示装置。
【請求項６】
前記制御手段は、前記フレーム数と前記サブフレーム数の積が一定になるように、前記フレーム数調整手段および前記サブフレーム数調整手段を制御する、
ことを特徴とする請求項１乃至５のうちいずれか１項に記載の画像表示装置。
【請求項７】
前記サブフレーム数調整手段は、前記フレーム数が変更されても前記サブフレームの単位期間が一定となるように前記サブフレーム数を調整する、
ことを特徴とする請求項１乃至６のうちいずれか１項に記載の画像表示装置。
【請求項８】
請求項１乃至７のうちいずれか１項に記載の画像表示装置を備えた電子機器。
【請求項９】
複数の画素からなる１画面を表示する単位期間を１フレームとしたとき、１フレームを分割して得られる複数のサブフレームの各々において、前記複数の画素の各々の階調を制御する画像表示方法であって、
表示すべき画像を示す画像データからフレーム間の動きの大きさを検出し、
検出した動きの大きさが大きい場合には、検出した動きの大きさが小さい場合と比較して、単位時間当たりのフレーム数が大きく、かつ１フレームに含まれるサブフレーム数が小さくなるように、前記フレーム数および前記サブフレーム数を調整し、
検出した動きの大きさが小さい場合には、検出した動きの大きさが大きい場合と比較して、単位時間当たりのフレーム数が小さく、かつ１フレームに含まれるサブフレーム数が大きくなるように、前記フレーム数および前記サブフレーム数を調整する、
ことを特徴とする画像表示方法。
【発明の詳細な説明】
【技術分野】
【０００１】
本発明は、サブフィールド駆動によって画像を表示する技術に関する。
【背景技術】
【０００２】
例えば特許文献１には、Ｎ−１番目のフレーム画像とＮ番目のフレーム画像との間に中間フレーム画像を補間し、フレームレートを２倍にすることで動きぼけによる画質の劣化を改善することが開示されている。また、特許文献２には、サブフィールド駆動によって画像を表示すること、すなわち、１フィールドを複数のサブフィールドに分割し、サブフィールド単位で各画素にオン電圧またはオフ電圧を印加することで、表示画像の階調を制御することが開示されている。
【先行技術文献】
【特許文献】
【０００３】
【特許文献１】特開２００８−１９３４８７号公報
【特許文献２】特開２００３−１１４６６１号公報
【発明の概要】
【発明が解決しようとする課題】
【０００４】
ところで、特許文献１，２に記載された技術を組み合わせた場合、フレームレートを２倍にすると、サブフレームの周期は１／２に短縮される。この場合、２倍の動作速度で各画素を駆動しなければならないが、サブフィールド駆動の場合、１フレームごとではなくサブフィールド単位で、１画面を構成する総ての画素の各々にオン電圧またはオフ電圧を書き込む必要がある。このため各画素に対して電圧を書き込む時間（選択時間）が極めて短くなってしまう。
【０００５】
また、動画の場合は、１フレーム当たりのサブフレーム数を増やして階調表示の精度を高めることよりも、単位時間当たりのフレーム数を増やして中間フレーム画像を補間することの方が、画質を高める上で重要になることが多い。これに対し、静止画の場合は、動画の場合のように表示画像が変化することがないので、単位時間当たりのフレーム数を増やすことよりも、１フレーム当たりのサブフレーム数を増やして階調表示の精度を高めることの方が、画質を高める上で重要になることが多い。
【０００６】
本発明は、上述した課題に鑑みてなされたものであり、サブフィールド駆動によって画像を表示する場合に、表示する画像が動画であっても静止画であっても適切に画質を高めることが可能な画像表示装置、電子機器および画像表示方法を提供することを課題とする。
【課題を解決するための手段】
【０００７】
以上の課題を解決するために、本発明に係る画像表示装置は、複数の画素からなる１画面を表示する単位期間を１フレームとしたとき、１フレームを分割して得られる複数のサブフレームの各々において、前記複数の画素の各々の階調を制御する画像表示装置であって、表示すべき画像を示す画像データからフレーム間の動きの大きさを検出する動き検出手段と、前記動き検出手段の検出結果に基づいて単位時間当たりのフレーム数を調整するフレーム数調整手段と、前記検出結果に基づいて１フレームに含まれるサブフレーム数を調整するサブフレーム数調整手段と、前記検出結果が大きい場合には、前記検出結果が小さい場合と比較して、前記フレーム数が大きく、かつ前記サブフレーム数が小さくなるように、前記フレーム数調整手段および前記サブフレーム数調整手段を制御し、前記検出結果が小さい場合には、前記検出結果が大きい場合と比較して、前記フレーム数が小さく、かつ前記サブフレーム数が大きくなるように、前記フレーム数調整手段および前記サブフレーム数調整手段を制御する制御手段と、を備えたことを特徴とする。
【０００８】
以上の構成によれば、フレーム間の動きが大きい場合には、フレーム間の動きが小さい場合と比較して、フレーム数を大きく、かつサブフレーム数を小さくすることができる。また、フレーム間の動きが小さい場合には、フレーム間の動きが大きい場合と比較して、フレーム数を小さく、かつサブフレーム数を大きくすることができる。
つまり、フレーム間の動きが大きい画像（例えば動画）については、１フレーム当たりのサブフレーム数を減らして階調表示の精度を犠牲にしてでも、その分、中間フレーム画像を補間するために単位時間当たりのフレーム数を増やすことで、画像をなめらかに表示することができる。また、フレーム間の動きが小さい画像（例えば静止画）については、表示画像が大きく変化することはないので、単位時間当たりのフレーム数を減らし、その分、１フレーム当たりのサブフレーム数を増やすことで、より高精細な階調表示を行うことができる。
したがって、サブフィールド駆動によって画像を表示する場合に、表示する画像が動画であっても静止画であっても適切に画質を高めることができる。
【０００９】
また、上述した画像表示装置において、前記画像データは、各フレームに対応するフレーム画像データを有し、前記フレーム数調整手段は、前記検出結果が大きい場合には、１のフレームとその次のフレームとの間の中間フレームに対応する中間画像データを生成することで、前記検出結果が小さい場合と比較して前記フレーム数を大きくする構成であってもよい。
この場合、中間画像データを生成することで、フレーム間の動きが大きい動画などの画像をなめらかに表示することができる。なお、１のフレームとその次のフレームとの間に補間する中間画像データは、１つに限らず複数であってもよい。また、中間画像データは、１のフレームに対応するフレーム画像データと、その次のフレームに対応するフレーム画像データとを用いて生成される。
【００１０】
また、上述した画像表示装置において、前記画像データは、各フレームに対応するフレーム画像データを有し、前記フレーム数調整手段は、前記検出結果が小さい場合には、連続する所定数のフレーム毎に一定の割合で前記フレーム画像データを間引くことで、前記検出結果が大きい場合と比較して前記フレーム数を小さくする構成であってもよい。
この場合、フレーム画像データを間引くことで単位時間当たりのフレーム数を減らし、その分、１フレーム当たりのサブフレーム数を増やすことができる。なお、例えば、２フレームごとに１フレームの割合や、４フレームごとに３フレームの割合でフレーム画像データを間引くことができる。
【００１１】
また、上述した画像表示装置において、表示すべき階調と、１フレームに含まれる複数のサブフレームの各々毎のオン状態またはオフ状態との対応関係を示すルックアップテーブルを、１フレームに含まれるサブフレーム数の違いに応じて複数備え、前記サブフレーム数調整手段は、前記検出結果が大きい場合には、前記サブフレーム数が小さい前記ルックアップテーブルを選択し、選択した前記ルックアップテーブルを使用して前記複数の画素の各々の階調を制御することで、前記検出結果が小さい場合と比較して前記サブフレーム数を小さくし、前記検出結果が小さい場合には、前記サブフレーム数が大きい前記ルックアップテーブルを選択し、選択した前記ルックアップテーブルを使用して前記複数の画素の各々の階調を制御することで、前記検出結果が大きい場合と比較して前記サブフレーム数を大きくする構成であってもよい。
この場合、フレーム間の動きの大きさに応じてルックアップテーブルを選択し、選択したルックアップテーブルを使用して各画素の階調を制御することで、１フレーム当たりのサブフレーム数を調整することができる。
【００１２】
また、上述した画像表示装置において、前記動き検出手段は、表示すべき画像を示す画像データからフレーム間の動きの有無を検出し、前記制御手段は、前記検出結果が有りの場合には、前記検出結果が無しの場合と比較して、前記フレーム数が大きく、かつ前記サブフレーム数が小さくなるように、前記フレーム数調整手段および前記サブフレーム数調整手段を制御し、前記検出結果が無しの場合には、前記検出結果が有りの場合と比較して、前記フレーム数が小さく、かつ前記サブフレーム数が大きくなるように、前記フレーム数調整手段および前記サブフレーム数調整手段を制御する構成であってもよい。
つまり、フレーム間の動きの有無を検出することで、動画であるのか静止画であるのかを判定可能にし、動画を表示する場合には、静止画を表示する場合と比較して、単位時間当たりのフレーム数を大きく、かつ１フレーム当たりのサブフレーム数を小さくするようにし、静止画を表示する場合には、動画を表示する場合と比較して、単位時間当たりのフレーム数を小さく、かつ１フレーム当たりのサブフレーム数を大きくするようにしてもよい。
【００１３】
また、上述した画像表示装置において、前記制御手段は、前記フレーム数と前記サブフレーム数の積が一定になるように、前記フレーム数調整手段および前記サブフレーム数調整手段を制御する構成であってもよい。
また、上述した画像表示装置において、前記サブフレーム数調整手段は、前記フレーム数が変更されても前記サブフレームの単位期間が一定となるように前記サブフレーム数を調整する構成であってもよい。
以上の構成の場合、フレーム数やサブフレーム数を変更してもサブフレームの単位期間（周期）を一定に保つことができる。例えば、フレーム数やサブフレーム数の変更に伴ってサブフレームの単位期間が変わってしまうと、各画素に対する電圧や電流の書き込み時間（選択時間）が変わることになるので、サブフィールド駆動に関する制御が複雑になる。したがって、このような場合と比較してサブフィールド駆動に関する制御を簡素化することができる。
【００１４】
なお、本発明に係る画像表示装置には、液晶素子を利用して画像を表示する液晶表示装置に加え、例えば、無機ＥＬ素子，有機ＥＬ素子，電界電子放出素子，表面伝導型電子放出素子，弾道電子放出素子，ＬＥＤ素子，電気泳動素子、エレクトロクロミック素子などの電気光学素子を利用して画像を表示する画像表示装置が含まれる。また、液晶素子を含むこれらの電気光学素子について、自身が発光する自発光型と、外光の透過率や反射率を変化させる非発光型との区別や、電流の供給によって駆動される電流駆動型と、電界（電圧）の印加によって駆動される電圧駆動型との区別は不問である。また、本発明に係る画像表示装置には、観察者に直接到達する表示光を出射する画像表示装置に加え、表示光を表示面（例えばスクリーン）に投射する投射型の画像表示装置が含まれる。
【００１５】
また、本発明に係る電子機器は上述した画像表示装置を備える。電子機器には、例えばパーソナルコンピューターや携帯電話機などが含まれる。
【００１６】
また、本発明に係る画像表示方法は、複数の画素からなる１画面を表示する単位期間を１フレームとしたとき、１フレームを分割して得られる複数のサブフレームの各々において、前記複数の画素の各々の階調を制御する画像表示方法であって、表示すべき画像を示す画像データからフレーム間の動きの大きさを検出し、検出した動きの大きさが大きい場合には、検出した動きの大きさが小さい場合と比較して、単位時間当たりのフレーム数が大きく、かつ１フレームに含まれるサブフレーム数が小さくなるように、前記フレーム数および前記サブフレーム数を調整し、検出した動きの大きさが小さい場合には、検出した動きの大きさが大きい場合と比較して、単位時間当たりのフレーム数が小さく、かつ１フレームに含まれるサブフレーム数が大きくなるように、前記フレーム数および前記サブフレーム数を調整する、ことを特徴とする。
以上の構成によれば、本発明に係る画像表示装置と同様の効果を奏する。
【図面の簡単な説明】
【００１７】
【図１】本実施形態に係る液晶表示装置の構成を示すブロック図である。
【図２】静止画の映像信号が供給された場合の液晶表示装置の動作（動作例１）について説明するための図である。
【図３】動作例１の場合におけるフレームとサブフレームについて説明するための図である。
【図４】動画の映像信号（フレーム間の動きがそれほど大きくない場合）が供給された場合の液晶表示装置の動作（動作例２）について説明するための図である。
【図５】動作例２の場合におけるフレームとサブフレームについて説明するための図である。
【図６】動画の映像信号（フレーム間の動きが極めて大きい場合）が供給された場合の液晶表示装置の動作（動作例３）について説明するための図である。
【図７】動作例３の場合におけるフレームとサブフレームについて説明するための図である。
【図８】変形例２に係る液晶表示装置の構成を示すブロック図である。
【図９】本発明に係る電子機器の具体例を示す斜視図である。
【図１０】本発明に係る電子機器の具体例を示す斜視図である。
【図１１】本発明に係る電子機器の具体例を示す斜視図である。
【発明を実施するための形態】
【００１８】
＜１．実施形態＞
図１は、本実施形態に係る液晶表示装置１０の構成を示すブロック図である。
同図に示すように、液晶表示装置１０は、動き検出回路１００と、中間フレーム生成回路２００と、ＬＵＴ（ルックアップテーブル）３００Ａ〜３００Ｃと、ＬＵＴ選択回路４００と、ＳＦ（サブフレーム）展開回路５００と、表示装置６００を備える。
表示装置６００は、複数の走査線と、複数のデータ線と、走査線とデータ線の各交差に対応して設けられた複数の画素を備え、各画素は、画素電極、対向電極、およびこれらの間に挟持された液晶からなる液晶素子を有する。また、表示装置６００は、各画素を駆動するための駆動回路（走査線駆動回路やデータ線駆動回路）を備え、駆動回路による各画素の駆動にはサブフィールド駆動が採用される。
【００１９】
サブフィールド駆動では、１フレームを複数のサブフレームに分割し、サブフレーム単位で、１画面を構成する総ての画素の各々にオン電圧またはオフ電圧を書き込むことで、液晶に印加される電圧実効値を変化させて表示画像の階調を制御する。つまり、各画素には、例えば４８個のサブフレームの各々においてオン電圧またはオフ電圧が書き込まれ、その時間積分により中間的な階調が表現される。各画素の駆動に必要な電圧レベルはオンレベルとオフレベルの２値のみであり、このようにオンとオフのみのデジタル信号を用いて画像の表示を行うことで、素子特性や配線抵抗などの不均一性に起因する表示ムラなどを抑え、高精細な階調表示を実現することができる。なお、１フレームとは、１画面分の画像を表示するのに必要な期間である。
【００２０】
また、本実施形態に係る液晶表示装置１０は、フレーム周波数を６０Ｈｚ，１２０Ｈｚ，２４０Ｈｚのいずれかに変更することができる。つまり、１秒当たりのフレーム数を６０個，１２０個，２４０個のいずれかに変更することが可能である。また、本実施形態に係る液晶表示装置１０は、１フレーム当たりのサブフレーム数を４８個，２４個，１２個のいずれかに変更することができる。なお、詳細については後述するが、本実施形態に係る液晶表示装置１０は、フレーム周波数を６０Ｈｚにした場合は、１フレーム当たりのサブフレーム数を４８個にしてサブフィールド駆動を行い、フレーム周波数を１２０Ｈｚにした場合は、１フレーム当たりのサブフレーム数を２４個にしてサブフィールド駆動を行い、フレーム周波数を２４０Ｈｚにした場合は、１フレーム当たりのサブフレーム数を１２個にしてサブフィールド駆動を行う。
【００２１】
動き検出回路１００と中間フレーム生成回路２００には、静止画や動画の映像信号が供給される。なお、本実施形態において、動き検出回路１００や中間フレーム生成回路２００に供給される映像信号のフレーム周波数は６０Ｈｚである。動き検出回路１００は、供給される映像信号について、Ｎ（Ｎ＝１，２，３…）番目のフレーム画像とＮ＋１番目のフレーム画像とを比較し、フレーム間の動きの大きさを検出する。また、動き検出回路１００は、検出したフレーム間の動きの大きさから、フレームレートを何倍にするのかを決定する。このフレームレートを何倍にするのかを示すフレームレート情報が、検出結果として中間フレーム生成回路２００とＬＵＴ選択回路４００に出力される。
【００２２】
例えば、動き検出回路１００は、静止画の映像信号であれば、フレーム間の動きの大きさがゼロになるので、フレームレート情報“１倍速”を検出結果として出力する。また、動き検出回路１００は、動画の映像信号であれば、例えば、フレーム間の動きがそれほど大きくない場合にフレームレート情報“２倍速”を検出結果として出力し、フレーム間の動きが極めて大きい場合にフレームレート情報“４倍速”を検出結果として出力する。なお、動き検出回路１００は、検出結果として、フレームレート情報ではなく、フレーム間の動きの大きさを示す数値情報やレベル情報を出力する構成であってもよい。
【００２３】
中間フレーム生成回路２００は、動き検出回路１００からの検出結果が“２倍速”や“４倍速”であった場合に、中間フレーム画像を生成して映像信号のフレームレートを変更する。例えば、動き検出回路１００からの検出結果が“２倍速”であった場合、中間フレーム生成回路２００は、供給される映像信号（フレーム周波数６０Ｈｚ）について、Ｎ番目のフレーム画像とＮ＋１番目のフレーム画像から、Ｎ番目のフレームとＮ＋１番目のフレームとの間の中間フレームに対応する中間フレーム画像を生成し、これを補間することで、フレーム周波数が６０Ｈｚの映像信号をフレーム周波数が１２０Ｈｚの映像信号にする。この場合、中間フレーム生成回路２００は、１秒当たりのフレーム数を６０個から１２０個に変更することになる。
【００２４】
また、中間フレーム生成回路２００は、動き検出回路１００からの検出結果が“４倍速”であった場合、供給される映像信号（フレーム周波数６０Ｈｚ）について、Ｎ番目のフレーム画像とＮ＋１番目のフレーム画像との間に３枚の中間フレーム画像を生成することで、フレーム周波数が６０Ｈｚの映像信号をフレーム周波数が２４０Ｈｚの映像信号にする。この場合、中間フレーム生成回路２００は、１秒当たりのフレーム数を６０個から２４０個に変更することになる。
【００２５】
なお、中間フレーム生成回路２００は、動き検出回路１００からの検出結果が“１倍速”であった場合、中間フレーム画像を生成せず、供給される映像信号（フレーム周波数６０Ｈｚ）をそのままＳＦ展開回路５００に出力する。
【００２６】
また、本実施形態に係る液晶表示装置１０は、３個のＬＵＴ（ルックアップテーブル）３００Ａ〜３００Ｃを有する。ＬＵＴ３００Ａは、１フレームを４８分割してサブフィールド駆動を行う場合に使用されるルックアップテーブルであり、ＬＵＴ３００Ｂは、１フレームを２４分割してサブフィールド駆動を行う場合に使用されるルックアップテーブルであり、ＬＵＴ３００Ｃは、１フレームを１２分割してサブフィールド駆動を行う場合に使用されるルックアップテーブルである。
【００２７】
これらのルックアップテーブルの各々には、階調データ毎に、各サブフレームにおけるオン状態とオフ状態を指定したデジタルコードが格納されている。例えば、１フレーム当たりのサブフレーム数が１２個で、表現可能な階調数が８個であれば、ルックアップテーブルには、８個の階調データの各々に対し、第１サブフレーム〜第１２サブフレームまでの各サブフレームにおけるオン状態（１）とオフ状態（０）を指定したデジタルコードが格納されている。より具体的に説明すると、例えば８個の階調データのうち、階調データ“００１”については、第１サブフレームのみをオン状態とし、残りの第２サブフレームから第１２サブフレームまでをオフ状態とするのであれば、ルックアップテーブルには、階調データ“００１”と対応させてデジタルコード“１０００００００００００”が格納されている。また、階調データ“１０１”については、第１サブフレームから第５サブフレームまでをオン状態とし、残りの第６サブフレームから第１２サブフレームまでをオフ状態とするのであれば、ルックアップテーブルには、階調データ“１０１”と対応させてデジタルコード“１１１１１０００００００”が格納されている。
【００２８】
ＬＵＴ選択回路４００は、動き検出回路１００からの検出結果に基づいて、ＬＵＴ３００Ａ〜３００Ｃの中からいずれか１つのルックアップテーブルを選択する。選択されたルックアップテーブルは、ＬＵＴ情報としてＳＦ展開回路５００に出力される。なお、ＬＵＴ選択回路４００は、１秒当たりのフレーム数と１フレーム当たりのサブフレーム数の積が一定（２８８０）となるように、ルックアップテーブルの選択を行う。
【００２９】
例えば、動き検出回路１００からの検出結果が“１倍速”であった場合、１秒当たりのフレーム数は６０個に設定されているので、ＬＵＴ選択回路４００は、１フレーム当たりのサブフレーム数が４８個となるＬＵＴ３００Ａを選択する。また、動き検出回路１００からの検出結果が“２倍速”であった場合、１秒当たりのフレーム数は１２０個に設定されているので、ＬＵＴ選択回路４００は、１フレーム当たりのサブフレーム数が２４個となるＬＵＴ３００Ｂを選択する。また、動き検出回路１００からの検出結果が“４倍速”であった場合、１秒当たりのフレーム数は２４０個に設定されているので、ＬＵＴ選択回路４００は、１フレーム当たりのサブフレーム数が１２個となるＬＵＴ３００Ｃを選択する。
【００３０】
ＳＦ展開回路５００は、ＬＵＴ選択回路４００によって選択されたルックアップテーブルを参照し、中間フレーム生成回路２００から供給される映像信号を、サブフィールド駆動用のデジタルコードに変換して表示装置６００に出力する。また、サブフィールド駆動用のデジタルコードと共に、フレーム周波数を指定する情報や、１フレーム当たりのサブフレーム数を指定する情報が表示装置６００に送られる。表示装置６００は、ＳＦ展開回路５００から供給されるデジタルコードに基づいてサブフィールド駆動を行い、静止画や動画の映像を画面に表示する。
【００３１】
次に液晶表示装置１０の動作について説明する。
［動作例１］
まず、静止画の映像信号が供給された場合の動作について説明する。
静止画の場合、フレーム間の動きの大きさはゼロになる。したがって、図２に示すように、動き検出回路１００は、検出結果としてフレームレート情報“１倍速”を出力する。中間フレーム生成回路２００は、動き検出回路１００からの検出結果が“１倍速”であるので、中間フレーム画像を生成せず、供給される映像信号（フレーム周波数６０Ｈｚ）をそのままＳＦ展開回路５００に出力する。つまり、中間フレーム生成回路２００は、１秒当たりのフレーム数を６０個のままとする。
【００３２】
ＬＵＴ選択回路４００は、動き検出回路１００からの検出結果が“１倍速”であるので、１フレーム当たりのサブフレーム数が４８個となるＬＵＴ３００Ａを選択する。ＳＦ展開回路５００は、ＬＵＴ３００Ａを参照し、中間フレーム生成回路２００から供給される映像信号（フレーム周波数６０Ｈｚ）を、サブフィールド駆動用のデジタルコード（フレーム周波数６０Ｈｚ／サブフレーム分割数４８個）に変換して表示装置６００に出力する。その結果、表示装置６００は、フレーム周波数を６０Ｈｚにすると共に１フレームを４８個のサブフレームに等分割してサブフィールド駆動を行い、静止画の映像を画面に表示する。
【００３３】
この場合、後述する動作例２，３と比較して、１フレーム当たりのサブフレーム数を多くすることができるので、静止画について高精細な階調表示を実現できる。また、図３に示すように動作例１の場合、フレーム周波数が６０Ｈｚであるので、１フレームの時間長は１６．６ｍｓになる。また、１フレームが４８個のサブフレームに等分割されるので、１つのサブフレームの時間長は３４７μｓになる。
【００３４】
［動作例２］
次に、動画の映像信号（フレーム間の動きがそれほど大きくない場合）が供給された場合の動作について説明する。
図４に示すように、動き検出回路１００は、フレーム間の動きがそれほど大きくない場合、検出結果としてフレームレート情報“２倍速”を出力する。中間フレーム生成回路２００は、動き検出回路１００からの検出結果が“２倍速”であるので、供給される映像信号（フレーム周波数６０Ｈｚ）について、Ｎ番目のフレーム画像とＮ＋１番目のフレーム画像との間に１枚の中間フレーム画像を生成し、フレーム周波数が６０Ｈｚの映像信号をフレーム周波数が１２０Ｈｚの映像信号にする。この場合、中間フレーム生成回路２００は、１秒当たりのフレーム数を６０個から１２０個に変更することになる。
【００３５】
ＬＵＴ選択回路４００は、動き検出回路１００からの検出結果が“２倍速”であるので、１フレーム当たりのサブフレーム数が２４個となるＬＵＴ３００Ｂを選択する。ＳＦ展開回路５００は、ＬＵＴ３００Ｂを参照し、中間フレーム生成回路２００から供給される映像信号（フレーム周波数１２０Ｈｚ）を、サブフィールド駆動用のデジタルコード（フレーム周波数１２０Ｈｚ／サブフレーム分割数２４個）に変換して表示装置６００に出力する。その結果、表示装置６００は、フレーム周波数を１２０Ｈｚにすると共に１フレームを２４個のサブフレームに等分割してサブフィールド駆動を行い、動画の映像を画面に表示する。
【００３６】
この場合、動作例１と比較して、１フレーム当たりのサブフレーム数は半減するものの、１秒当たりのフレーム数を２倍に増やすことができるので、中間フレーム画像を補間して動画をなめらかに表示することができる。また、図５に示すように動作例２の場合、フレーム周波数が１２０Ｈｚになるので、１フレームの時間長は８．３ｍｓになるが、１フレーム当たりのサブフレーム数が２４個であるので、１つのサブフレームの時間長は３４７μｓのままである。
【００３７】
なお、動画の映像信号であっても、フレーム間の動きが極めて小さい場合は、動作例１で説明した静止画の場合と同様に、フレーム周波数を６０Ｈｚのまま変えず、１フレームを４８個のサブフレームに等分割してサブフィールド駆動を行うことができる。
【００３８】
［動作例３］
次に、動画の映像信号（フレーム間の動きが極めて大きい場合）が供給された場合の動作について説明する。
図６に示すように、動き検出回路１００は、フレーム間の動きが極めて大きい場合、検出結果としてフレームレート情報“４倍速”を出力する。中間フレーム生成回路２００は、動き検出回路１００からの検出結果が“４倍速”であるので、供給される映像信号（フレーム周波数６０Ｈｚ）について、Ｎ番目のフレーム画像とＮ＋１番目のフレーム画像との間に３枚の中間フレーム画像を生成し、フレーム周波数が６０Ｈｚの映像信号をフレーム周波数が２４０Ｈｚの映像信号にする。この場合、中間フレーム生成回路２００は、１秒当たりのフレーム数を６０個から２４０個に変更することになる。
【００３９】
ＬＵＴ選択回路４００は、動き検出回路１００からの検出結果が“４倍速”であるので、１フレーム当たりのサブフレーム数が１２個となるＬＵＴ３００Ｃを選択する。ＳＦ展開回路５００は、ＬＵＴ３００Ｃを参照し、中間フレーム生成回路２００から供給される映像信号（フレーム周波数２４０Ｈｚ）を、サブフィールド駆動用のデジタルコード（フレーム周波数２４０Ｈｚ／サブフレーム分割数１２個）に変換して表示装置６００に出力する。その結果、表示装置６００は、フレーム周波数を２４０Ｈｚにすると共に１フレームを１２個のサブフレームに等分割してサブフィールド駆動を行い、動画の映像を画面に表示する。
【００４０】
この場合、１秒当たりのフレーム数を動作例２の場合よりもさらに２倍に増やすことができるので、その分、中間フレーム画像の補間枚数を増やすことができ、動画をよりなめらかに表示することができる。また、図７に示すように動作例３の場合、フレーム周波数が２４０Ｈｚになるので、１フレームの時間長は４．２ｍｓになるが、１フレーム当たりのサブフレーム数が１２個であるので、１つのサブフレームの時間長は３４７μｓのままである。
【００４１】
以上説明したように本実施形態によれば、液晶表示装置１０では、サブフィールド駆動によって画像を表示する場合に、静止画や動画の映像信号からフレーム間の動きの大きさを検出し、フレーム間の動きが大きい場合には、フレーム間の動きが小さい場合に比べ、１秒当たりのフレーム数を増やす一方で１フレーム当たりのサブフレーム数を減らす。また、フレーム間の動きが小さい場合には、フレーム間の動きが大きい場合に比べ、１秒当たりのフレーム数を減らす一方で１フレーム当たりのサブフレーム数を増やす。
つまり、フレーム間の動きが大きい画像（例えば動画）については、１フレーム当たりのサブフレーム数を減らして階調表示の精度を犠牲にしてでも、その分、１秒当たりのフレーム数を増やして中間フレーム画像を補間することで、画像をなめらかに表示することができる。また、フレーム間の動きが小さい画像（例えば静止画）については、表示画像が大きく変化することはないので、１秒当たりのフレーム数を減らし、その分、１フレーム当たりのサブフレーム数を増やすことで、より高精細な階調表示を行うことができる。
したがって、サブフィールド駆動によって画像を表示する場合に、表示する画像が動画であっても静止画であっても適切に画質を高めることができる。
【００４２】
また、液晶表示装置１０では、１秒当たりのフレーム数と１フレーム当たりのサブフレーム数の積が一定（２８８０）となるように、１秒当たりのフレーム数と１フレーム当たりのサブフレーム数を調整する。これにより、どのような場合であってもサブフレームの時間長が３４７μｓで一定となるようにしている。仮に、フレーム数やサブフレーム数の変更に伴ってサブフレームの時間長が変わってしまうと、各画素に対して電圧を書き込む時間（選択時間）が変わることになるので、サブフィールド駆動に関する制御が複雑になる。したがって、このような場合と比較してサブフィールド駆動に関する制御を簡素化することができる。
【００４３】
＜２．変形例＞
本発明は上述した実施形態に限定されるものではなく、例えば以下の変形が可能である。また、以下に示す２以上の変形を適宜組み合わせることもできる。
【００４４】
［変形例１］
上述した実施形態において、動き検出回路１００は、フレーム間の動きの大きさではなくフレーム間の動きの有無を検出し、フレーム間の動きがある場合には、検出結果として動画であることを示す情報を出力し、フレーム間の動きが無い場合には、検出結果として静止画であることを示す情報を出力する構成であってもよい。
【００４５】
この場合、例えば、中間フレーム生成回路２００は、動き検出回路１００からの検出結果が“動画”であれば、供給される映像信号（フレーム周波数６０Ｈｚ）について、Ｎ番目のフレーム画像とＮ＋１番目のフレーム画像との間に１枚の中間フレーム画像を生成し、フレーム周波数が６０Ｈｚの映像信号をフレーム周波数が１２０Ｈｚの映像信号にする。また、中間フレーム生成回路２００は、動き検出回路１００からの検出結果が“静止画”であれば、中間フレーム画像を生成せず、供給される映像信号（フレーム周波数６０Ｈｚ）をそのままＳＦ展開回路５００に出力する。また、ＬＵＴ選択回路４００は、動き検出回路１００からの検出結果が“動画”であれば、１秒当たりのフレーム数が１２０個に設定されているので、１フレーム当たりのサブフレーム数が２４個となるＬＵＴ３００Ｂを選択し、動き検出回路１００からの検出結果が“静止画”であれば、１秒当たりのフレーム数が６０個に設定されているので、１フレーム当たりのサブフレーム数が４８個となるＬＵＴ３００Ａを選択する。
【００４６】
以上のように構成を変形し、動画を表示する場合には、静止画を表示する場合よりも、１秒当たりのフレーム数を増やす一方で１フレーム当たりのサブフレーム数を減らすようにし、また、静止画を表示する場合には、動画を表示する場合よりも、１秒当たりのフレーム数を減らす一方で１フレーム当たりのサブフレーム数を増やすようにしてもよい。
【００４７】
［変形例２］
図８は、変形例２に係る液晶表示装置１０の構成を示すブロック図である。
本変形例に係る液晶表示装置１０が、上述した実施形態で説明した液晶表示装置１０と相違するのは、フレーム数調整手段として中間フレーム生成回路２００の代わりにフレーム間引回路２５０を備えている点と、動き検出回路１００やフレーム間引回路２５０に対して供給される映像信号のフレーム周波数が６０Ｈｚではなく１２０Ｈｚである点である。
【００４８】
例えば、静止画の映像信号（フレーム周波数１２０Ｈｚ）が供給された場合、動き検出回路１００は、フレーム間の動きの大きさがゼロであることを検出すると、フレーム周波数を６０Ｈｚに下げるため、検出結果としてフレームレート情報“１／２倍速”を出力する。フレーム間引回路２５０は、動き検出回路１００からの検出結果が“１／２倍速”であるので、供給される映像信号（フレーム周波数１２０Ｈｚ）について、例えば偶数番目のフレーム画像を削除することで、フレーム周波数が１２０Ｈｚの映像信号をフレーム周波数が６０Ｈｚの映像信号にする。この場合、フレーム間引回路２５０は、１秒当たりのフレーム数を１２０個から６０個に変更することになる。
【００４９】
ＬＵＴ選択回路４００は、動き検出回路１００からの検出結果が“１／２倍速”であり、１秒当たりのフレーム数が６０個に設定されているので、１フレーム当たりのサブフレーム数が４８個となるＬＵＴ３００Ａを選択する。ＳＦ展開回路５００は、ＬＵＴ３００Ａを参照し、フレーム間引回路２５０から供給される映像信号（フレーム周波数６０Ｈｚ）を、サブフィールド駆動用のデジタルコード（フレーム周波数６０Ｈｚ／サブフレーム分割数４８個）に変換して表示装置６００に出力する。その結果、表示装置６００は、フレーム周波数を６０Ｈｚにすると共に１フレームを４８個のサブフレームに等分割してサブフィールド駆動を行い、静止画の映像を画面に表示する。
【００５０】
この場合、１秒当たりのフレーム数を減らし、その分、１フレーム当たりのサブフレーム数を増やすことで、静止画についてより高精細な階調表示を行うことができる。また、本変形例の場合、フレーム周波数が６０Ｈｚで、１フレーム当たりのサブフレーム数が４８個になるので、１秒当たりのフレーム数と１フレーム当たりのサブフレーム数は、上述した［動作例１］の場合と同じである（図３参照）。つまり、１フレームの時間長は４．２ｍｓとなり、１つのサブフレームの時間長は３４７μｓとなる。
【００５１】
なお、フレーム間引回路２５０は、供給される映像信号のフレーム周波数が２４０Ｈｚで、動き検出回路１００からの検出結果が“１／４倍速”であれば、供給される映像信号（フレーム周波数２４０Ｈｚ）について、例えば、４Ｎ番目のフレーム画像のみを残し、それ以外のフレーム画像を削除することで、フレーム周波数が２４０Ｈｚの映像信号をフレーム周波数が６０Ｈｚの映像信号にする。このようにフレーム間引回路２５０は、連続する所定数のフレーム毎に一定の割合でフレーム画像データを間引くことで、映像信号のフレームレートを下げる。
【００５２】
［変形例３］
上述した実施形態では、各画素に対してオン電圧（点灯）またはオフ電圧（消灯）の２値のデータ電位を書き込むサブフィールド駆動を例示したが、３値以上のデータ電位（オン電圧、オフ電圧、中間電圧）を書き込むサブフィールド駆動であってもよい。
また、単位時間当たりのフレーム数や１フレーム当たりのサブフレーム数は、上述した実施形態で例示したものに限定されず任意に変更可能である。
【００５３】
＜３：電子機器＞
次に、液晶表示装置１０を適用した電子機器について説明する。
図９に、液晶表示装置１０を適用したモバイル型のパーソナルコンピューターの構成を示す。パーソナルコンピューター２０００は、表示ユニットとしての液晶表示装置１０と本体部２０１０を備える。本体部２０１０には、電源スイッチ２００１とキーボード２００２が設けられている。
図１０に、液晶表示装置１０を適用した携帯電話機の構成を示す。携帯電話機３０００は、表示ユニットとしての液晶表示装置１０と、複数の操作ボタン３００１と、スクロールボタン３００２を備える。スクロールボタン３００２を操作することで液晶表示装置１０に表示される画面がスクロールされる。
図１１に、液晶表示装置１０を適用した情報携帯端末（ＰＤＡ：Personal Digital Assistants）の構成を示す。情報携帯端末４０００は、表示ユニットとしての液晶表示装置１０と、複数の操作ボタン４００１と、電源スイッチ４００２を備える。操作ボタン４００１を操作することで、住所録やスケジュール帳といった各種の情報が液晶表示装置１０に表示される。
なお、液晶表示装置１０が適用される電子機器としては、図９〜図１１に示すものの他、デジタルスチルカメラ、テレビ、ビデオカメラ、カーナビゲーション装置、ページャー、電子手帳、電子ペーパー、電卓、ワードプロセッサー、ワークステーション、テレビ電話、ＰＯＳ端末、プリンター、スキャナー、複写機、ビデオプレーヤー、プロジェクターなどが挙げられる。
【符号の説明】
【００５４】
１０…液晶表示装置、１００…動き検出回路、２００…中間フレーム生成回路、２５０…フレーム間引回路、３００Ａ，３００Ｂ，３００Ｃ…ＬＵＴ（ルックアップテーブル）、４００…ＬＵＴ選択回路、５００…ＳＦ（サブフレーム）展開回路、６００…表示装置。
【図１】
2010197785.tif 000003
【図２】
2010197785.tif 000004
【図３】
2010197785.tif 000005
【図４】
2010197785.tif 000006
【図５】
2010197785.tif 000007
【図６】
2010197785.tif 000008
【図７】
2010197785.tif 000009
【図８】
2010197785.tif 000010
【図９】
2010197785.tif 000011
【図１０】
2010197785.tif 000012
【図１１】
2010197785.tif 000013